(57)【要約】      （修正有）【課題】停電時や、地震などの災害時の簡易照明にも使用できるマルチスタンドを提供する。【解決手段】マルチスタンド本体の前面または、背面に充電用電池の太陽電池を設け、さらに本体内部にダイナモを備え、緊急時、本体外部のダイナモハンドルを回すことによりマルチスタンド本体に有する充電用電池に充電する。【選択図】図１
0003177519.tif 000002
【実用新案登録請求の範囲】
【請求項１】
マルチスタンド本体と、前記マルチスタンド本体の前面または背面に設けた太陽電池と、前記太陽電池で発電した電気を充電するための充電用電池とを備えたことを特徴とするマルチスタンド。
【請求項２】
前記マルチスタンド本体内部にダイナモと、本体外部にダイナモハンドルを更に設け、前記ダイナモハンドルを回すことにより、前記ダイナモで電気を発電し、前記充電用電池に充電することを特徴とする請求項１記載のマルチスタンド。
【請求項３】
前記太陽電池を設けたマルチスタンド本体の反対側に、面ファスナ、粘着テープ又は磁石設けたことを特徴とする請求項１又は請求項２記載のマルチスタンド。
【考案の詳細な説明】
【技術分野】
【０００１】
本考案は、ダイナモと太陽電池付きマルチスタンド等の前面または背面に、太陽電池を有し、本体の内部にはダイナモを備え、本体の底面にはダイナモハンドル、電源スイッチ、転倒スイッチ及び、照明用ＬＥＤの懐中電灯機能を有したダイナモと太陽電池付きマルチスタンドに関するものである。
【背景技術】
【０００２】
通常、眼鏡立ての照明部分に使う電源については、おもに乾電池が使用されており、乾電池が消耗した場合を考慮して、乾電池を別途備えておく必要がある。
【０００３】
例えば、特許文献１に記載のように、就寝時に電池の消耗を、消費電流の少ない電球に切換えて電池の消耗を防いでいるランタンが提案されているが、いずれ電池は消耗するため電球は点灯しなくなる。
【０００４】
また、特許文献２に記載のように、本体を持ち上げたときや、本体が転倒したときに照明用ＬＥＤが点灯する眼鏡立てが提案されている。
【先行技術文献】
【特許文献】
【０００５】
【特許文献１】実新案３０２１１４７号公報
【特許文献２】実新案３０９７２６３号公報
【考案の概要】
【考案が解決しようとする課題】
【０００６】
しかし、上記何れの提案も電源が乾電池であり、本体を持ち上げたり、本体が転倒したときにLED（発光ダイオード）を点灯するものであるが、電源の乾電池が消耗したときには使用できないなどの問題点がある。
【０００７】
本考案は上記問題点を解消し、乾電池だけを主電源にする眼鏡立てではなく、ダイナモ、太陽電池と充電用電池を設けることにより、停電時や地震などの災害時の簡易照明にも使用できることを目的とする。
【課題を解決するための手段】
【０００８】
本考案のダイナモ付きマルチスタンド本体の前面または、背面に充電用の太陽電池を設け、本体に有する充電用電池に充電をし、電池交換を不要にしたことを特徴とするダイナモ付きマルチスタンド。
【０００９】
さらに、マルチスタンドの本体にダイナモ、本体外部にダイナモハンドルを追加し、ダイナモハンドルを回すことにより、ダイナモで電気を発電し、発電した電気を本体に有する充電用電池に充電をするようにしたことを特徴とするマルチスタンド。
【００１０】
本体の太陽電池の取り付けは、面ファスナ、粘着テープ又は磁石で装着することができることを特徴とするマルチスタンド。
【考案の効果】
【００１１】
本考案のダイナモと太陽電池付きマルチスタンドは、ダイナモまたは、太陽電池からの電流で常に、充電用電池を充電状態におくことで、乾電池の電池交換が不要になり経済的なマルチスタンドを考案している。
【００１２】
本考案のダイナモと太陽電池付きマルチスタンドは、真っ暗で太陽電池が機能しない場合には、ダイナモのハンドルを回すことにより、充電用電池に充電することができ、さらにダイナモと太陽電池付きマルチスタンド本体の太陽電池の取り付けは、面ファスナ、粘着テープ又は磁石でマルチスタンドに容易に装着できる。
【図面の簡単な説明】
【００１３】
【図１】ダイナモと太陽電池付きマルチスタンドの斜視図
【図２】ダイナモと太陽電池付きマルチスタンドの底面図
【図３】ダイナモと太陽電池付きマルチスタンドの内部部品配置図
【図４】ダイナモと太陽電池付きマルチスタンドの回路図
【考案を実施するための形態】
【００１４】
以下、本考案のダイナモと太陽電池付きマルチスタンドの実施例を説明する。図１はダイナモと太陽電池付きマルチスタンドの一例を示す斜視図であり、図２は図１のダイナモと太陽電池付きマルチスタンドの底面図で、図３はダイナモと太陽電池付きマルチスタンドの内部部品配置図で、図４は回路図である。
ダイナモとは発電機で、ハンドルの軸に結合されたギヤーと磁石のプーリが回転し、磁界の中を連続的にコイルを横切ることにより電流が生成し電気を発電する。
【００１５】
本考案のダイナモと太陽電池付きマルチスタンドは、図１に示すように、ダイナモと太陽電池付きマルチスタンド本体１と、ダイナモと太陽電池付きマルチスタンド本体１の下部の台部１aで構成されており、底板１ｂには、照明用ＬＥＤ５、回路に供給するための充電用電池６を備えており、ダイナモと太陽電池付きマルチスタンド本体１と底板１bは、それぞれ例えばＡＢＳ樹脂などの硬質プラスチックで構成されており、内部の空間に、転倒スイッチ３、電源スイッチ４、抵抗器７、ダイオード８、ダイナモ９が収納されている。
【００１６】
図１に示すように、成型品で出来た筒状の装飾品本体１の前面または背面に太陽電池２を設け、充電用電池に充電するようになっている。
【００１７】
図２のように底板1bの裏には、ダイナモで充電するためのハンドル９ａ、照明用LED５があり、手で持って懐中電灯として使用できる。底板の裏側に凹を設け、ハンドル部分は通常その部分に収納されており、使用時はハンドルを凹から起し伸張して使用する。なお、ダイナモハンドル９ｂはハンドルを伸張した図である。
【００１８】
図3はダイナモと太陽電池付きマルチスタンド内部の１ｂの図で、転倒スイッチ３、電源スイッチ４、照明用ＬＥＤ５、抵抗器７、ダイオード８、ダイナモ９、プーリ９ｃ、ブリッジダイオードユニット９ｄの部品配置図である。なお、ダイナモにはブリッジダイオードユニットが内蔵されており、ダイナモからの電流を整流し、充電用電池からの電流の逆流を防止する役目もかねている。
【００１９】
つぎに、図４の回路図の詳細について説明する。充電用電池６は照明用ＬＥＤ５に供給するものであり、ダイナモおよび太陽電池は充電用電池に接続されており電源スイッチ４と転倒スイッチ３とが直列に接続されており、通常電源スイッチ４はオンになっている。又、転倒スイッチ３は転倒しないときはオフで照明用ＬＥＤ５は点灯しないが、本体１が転倒してオンになると照明用ＬＥＤ５が点灯する。なお、本体１を手に持って懐中電灯として使用する場合には電源スイッチ４で照明用ＬＥＤをオン，オフすることができ、照明が不要なときは電源スイッチ４をオフすることで、電流が流れず充電用電池６の消耗を少なくする。なお、常に太陽電池とダイナモは並列に動作しており、発電した電流は充電用電池に蓄電できるようになっている。
【００２０】
また、このダイナモと太陽電池付きマルチスタンドに備えているダイナモハンドルは、通常はマルチスタンド本体の底部に収納されているが、充電時にはハンドルを伸張して回すことができる。
【符号の説明】
【００２１】
１    ダイナモと太陽電池付きマルチスタンド本体
１ａ  台部
１ｂ  底板
２    太陽電池
２ａ  太陽電池からの線
３    転倒スイッチ
４    電源スイッチ
５    照明用LED
６    充電用電池
７    抵抗器
８    ダイオード
９    ダイナモ
９ａ  ダイナモハンドル
９ｂ  ダイナモハンドル伸張時
９ｃ  プーリ
９ｄ  ブリッジダイオードユニット
【図１】
0003177519.tif 000003
【図２】
0003177519.tif 000004
【図３】
0003177519.tif 000005
【図４】
0003177519.tif 000006